(57)【要約】【課題】簡単且つ安価な機構により、長期間に亘って安定したグリース潤滑が可能な軸受装置及び主軸装置を提供する。【解決手段】軸受装置１０は、一対のアンギュラ玉軸受１１と、一対のアンギュラ玉軸受１１の外輪１５間に当接配置される外輪間座１２と、一対のアンギュラ玉軸受１１の内輪１４間に当接配置されると共に、互いに当接配置される一対の内輪間座１３、１３と、を備える。外輪間座１２の内周面と一対の内輪間座１３の外周面は、互いに対向して、各軸受空間Ｓ１に連通する一対のラビリンスＬを形成するように、アンギュラ玉軸受１１に向かって大径となるテーパ面１２ｂ、１３ｅをそれぞれ有し、外輪間座１２は、その内径側で、一対のラビリンスＬ間に画成され、一対のラビリンスＬを介して軸受空間Ｓ１と連通する間座側グリース溜りＳ２を有し、該間座側グリース溜りＳ２にはグリースＧが封入される。【選択図】図１
2015102210.tif 000002
【特許請求の範囲】
【請求項１】
外周面に内輪軌道面を有する内輪と、内周面に外輪軌道面を有する外輪と、所定の接触角をもって前記内輪軌道面と前記外輪軌道面との間に転動自在に配置される複数の玉と、をそれぞれ備え、前記内輪の外周面及び前記外輪の内周面との間の軸受空間にグリースが封入され、且つ、背面組合せで配置される一対のアンギュラ玉軸受と、
前記一対のアンギュラ玉軸受の外輪間に当接配置される外輪間座と、
前記一対のアンギュラ玉軸受の内輪間に当接配置されると共に、互いに当接配置される一対の内輪間座と、
を備える軸受装置であって、
前記外輪間座の内周面と前記一対の内輪間座の外周面は、互いに対向して、前記各軸受空間に連通する一対のラビリンスを形成するように、前記軸受に向かって大径となるテーパ面をそれぞれ有し、
前記外輪間座は、その内径側で、前記一対のラビリンス間に画成され、前記一対のラビリンスを介して前記軸受空間と連通する間座側グリース溜りを有し、該間座側グリース溜りにはグリースが封入されることを特徴とする軸受装置。
【請求項２】
前記一対の内輪間座は、外周面が前記テーパ面を備え、径方向外側に延出する内輪間座側フランジ部をそれぞれ有し、
前記内輪間座側フランジ部より軸方向内側の外周面には、前記軸受に向かって大径となる他のテーパ面が形成されることを特徴とする請求項１に記載の軸受装置。
【請求項３】
前記一対の内輪間座は、軸方向内側面を前記テーパ面として、径方向外側に延出する内輪間座側フランジ部をそれぞれ有し、
前記テーパ面の傾斜角は、軸方向に対して３０°以上であり、
前記外輪間座の内周面には、前記間座側グリース溜りを構成する環状の凹部が形成されることを特徴とする請求項１に記載の軸受装置。
【請求項４】
前記軸受空間及び前記間座側グリース溜りの少なくとも一方には、ゲル化剤を混入したグリースが封入されることを特徴とする請求項１〜３のいずれか１項に記載の軸受装置。
【請求項５】
請求項１〜４のいずれか１項に記載の軸受装置を備え、前記軸受装置を介して主軸をハウジングに対して回転自在に支承することを特徴とする主軸装置。
【請求項６】
前記外輪間座には、前記ハウジングに形成された空気補給路を介して間座側グリース溜りに空気を補給するための通気孔が形成されていることを特徴とする請求項５に記載の主軸装置。
【発明の詳細な説明】
【技術分野】
【０００１】
本発明は、軸受装置及び主軸装置に関し、より詳細には、封入されたグリースにより長期間に亘って安定してグリース潤滑可能な軸受装置及び主軸装置に関する。
【背景技術】
【０００２】
工作機械用主軸装置の高速化は著しく発展しており、主軸の高速化を可能にするための潤滑方法は、オイルミスト潤滑やオイルエア潤滑が主流であった。しかし、近年では環境対策・省エネ化・省資源化の要望が強く、騒音やオイル飛散による環境面への配慮が必要なこと、大量のエアが必要であること、更に、オイルミスト潤滑装置やオイルエア供給装置のような付帯設備が必要となるなど、コスト面でも不利な点がある。
【０００３】
これらの問題を回避するために、グリース潤滑が再度注目され始めている。グリース潤滑は軸受組込時に封入されたグリースの基油で潤滑を行うため、軸受潤滑に必要な基油の量には限りがあり、基油の量が潤滑寿命に影響する。そのため軸受に封入するグリース量を増加させることも考えられるが、この場合、粘性抵抗が大きくなるために、高速回転で使用すると軸受発熱が大きくなってしまい、逆に早期のグリース劣化により油膜切れが発生して焼き付きに至ってしまう場合がある。そのため、高速回転時の昇温特性と、グリース寿命とのバランスを鑑み、通常は軸受内部空間容積に対して、おおむね１０〜２０％に相当するグリースを封入している。また、過剰のグリースを封入すると、慣らし運転時間が長く必要となるため、主軸受交換後の生産ライン復帰までの時間が長くなって、生産効率にも影響してしまう。
【０００４】
グリース潤滑される従来の軸受としては、グリース溜り部品を転がり軸受から分離した形で形成し、固定側軌道輪に隣接して配置するようにしたグリース溜り部品及び転がり軸受が開示されている（例えば、特許文献１参照。）。特許文献１に記載のグリース溜り部品１００は、図５に示すように、内部がグリース溜り１０２となる環状の容器部１０１と、容器部１０１から突出して転がり軸受１１０の固定側軌道輪１１１の軌道面１１１ａの近傍まで挿入される軸受内挿入部１０３とを有する。軸受内挿入部１０３の先端には、基油滲み出し口１０４が設けられており、容器部１０１に収容されたグリースＧを、基油滲み出し口１０４から転がり軸受１１０に供給する。
【先行技術文献】
【特許文献】
【０００５】
【特許文献１】特開２００８−２４０８２８号公報
【発明の概要】
【発明が解決しようとする課題】
【０００６】
しかしながら、特許文献１に記載のグリース溜り部品１００及び転がり軸受１１０は、構造が複雑な複数の部品の組合せからなり、製作費用が嵩む要因となる。また、グリースＧの供給は、転がり軸受１１０の運転・停止に伴うグリース溜り１０２でのヒートサイクルによる圧力変動を利用して、グリースＧから分離した基油をグリース基油滲み出し口１０４から供給している。このため、ヒートサイクルによる圧力変動だけでは、工作機械主軸用軸受のように高速回転する用途（ｄｍｎ５０万以上、より好ましくはｄｍｎ１００万以上）において、潤滑が不足する可能性があった。
【０００７】
本発明は、前述した課題に鑑みてなされたものであり、その目的は、簡単且つ安価な機構により、長期間に亘って安定したグリース潤滑が可能な軸受装置及び主軸装置を提供することにある。
【課題を解決するための手段】
【０００８】
本発明の上記目的は、下記の構成により達成される。
（１）  外周面に内輪軌道面を有する内輪と、内周面に外輪軌道面を有する外輪と、所定の接触角をもって前記内輪軌道面と前記外輪軌道面との間に転動自在に配置される複数の玉と、をそれぞれ備え、前記内輪の外周面及び前記外輪の内周面との間の軸受空間にグリースが封入され、且つ、背面組合せで配置される一対のアンギュラ玉軸受と、
前記一対のアンギュラ玉軸受の外輪間に当接配置される外輪間座と、
前記一対のアンギュラ玉軸受の内輪間に当接配置されると共に、互いに当接配置される一対の内輪間座と、
を備える軸受装置であって、
前記外輪間座の内周面と前記一対の内輪間座の外周面は、互いに対向して、前記各軸受空間に連通する一対のラビリンスを形成するように、前記軸受に向かって大径となるテーパ面をそれぞれ有し、
前記外輪間座は、その内径側で、前記一対のラビリンス間に画成され、前記一対のラビリンスを介して前記軸受空間と連通する間座側グリース溜りを有し、該間座側グリース溜りにはグリースが封入されることを特徴とする軸受装置。
（２）  前記一対の内輪間座は、外周面が前記テーパ面を備え、径方向外側に延出する内輪間座側フランジ部をそれぞれ有し、
前記内輪間座側フランジ部より軸方向内側の外周面には、前記軸受に向かって大径となる他のテーパ面が形成されることを特徴とする（１）に記載の軸受装置。
（３）  前記一対の内輪間座は、軸方向内側面を前記テーパ面として、径方向外側に延出する内輪間座側フランジ部をそれぞれ有し、
前記テーパ面の傾斜角は、軸方向に対して３０°以上であり、
前記外輪間座の内周面には、前記間座側グリース溜りを構成する環状の凹部が形成されることを特徴とする（１）に記載の軸受装置。
（４）  前記軸受空間及び前記間座側グリース溜りの少なくとも一方には、ゲル化剤を混入したグリースが封入されることを特徴とする（１）〜（３）のいずれかに記載の軸受装置。
（５）  （１）〜（４）のいずれかに記載の軸受装置を備え、前記軸受装置を介して主軸をハウジングに対して回転自在に支承することを特徴とする主軸装置。
（６）  前記外輪間座には、前記ハウジングに形成された空気補給路を介して間座側グリース溜りに空気を補給するための通気孔が形成されていることを特徴とする（５）に記載の主軸装置。
【発明の効果】
【０００９】
本発明の軸受装置によれば、外輪間座の内周面と一対の内輪間座の外周面は、互いに対向して、各軸受空間に連通する一対のラビリンスを形成するように、軸受に向かって大径となるテーパ面をそれぞれ有し、外輪間座は、その内径側で、一対のラビリンス間に画成され、一対のラビリンスを介して軸受空間と連通する間座側グリース溜りを有し、該間座側グリース溜りにはグリースが封入される。したがって、テーパ面によるラビリンスにより、反軸受側から軸受側に向かう空気の流れが生じ、間座側グリース溜りのグリースの基油が軸受空間へ移動するので、軸受空間に供給されるグリースの量を増加することができ、グリース寿命を延長することができる。
【００１０】
また、本発明の主軸装置によれば、本発明の軸受装置を介して主軸をハウジングに対して回転自在に支承するため、主軸装置の高速化、長寿命化が可能となる。
【図面の簡単な説明】
【００１１】
【図１】本発明に係る軸受装置の第１実施形態の断面図である。
【図２】本発明に係る軸受装置の第２実施形態の断面図である。
【図３】本発明に係る軸受装置の第３実施形態の断面図である。
【図４】本発明に係る軸受装置が組み込まれた主軸装置の要部断面図である。
【図５】従来の軸受装置の断面図である。
【発明を実施するための形態】
【００１２】
以下、本発明に係る軸受装置の各実施形態及び主軸装置について、図面に基づいて詳細に説明する。
【００１３】
（第１実施形態）
まず、図１を参照して、本発明に係る軸受装置の第１実施形態について説明する。
図１に示す本実施形態の軸受装置１０は、背面組合せで配置された一対のアンギュラ玉軸受１１と、一対のアンギュラ玉軸受１１間に配置される外輪間座１２、及び一対の内輪間座１３、１３と、備える。
【００１４】
各アンギュラ玉軸受１１は、外周面に内輪軌道面１４ａを有する内輪１４と、内周面に外輪軌道面１５ａを有する外輪１５と、保持器１７に保持され、所定の接触角αをもって内輪軌道面１４ａと外輪軌道面１５ａとの間に転動自在に配置された複数の玉１６と、を備える。外輪１５の軸方向外側の内周面には、カウンターボア１５ｂが設けられている。アンギュラ玉軸受１１には、内輪１４の外周面及び外輪１５の内周面との間の軸受空間Ｓ１にグリースＧが封入されている。
【００１５】
外輪間座１２は、各外輪１５の反カウンターボア側の軸方向端面１５ｃに当接して配設され、また、一対の内輪間座１３、１３は、外輪間座１２に対向し、各内輪１４の軸方向端面１４ｂにそれぞれ当接して配設されるとともに、互いに当接配置される。
【００１６】
各内輪間座１３は、各軸受１１寄りの外周面に径方向外側に延出する内輪間座側フランジ部１３ｂをそれぞれ有し、各フランジ部１３ｂの軸方向内側面と各内輪間座１３の軸方向内側の外周面とで、環状の凹部１３ｃを形成する。なお、内輪間座１３の分割位置はフランジ部１３ｂ以外であれば軸方向の位置は問わない。
【００１７】
また、外輪間座１２の内周面と一対の内輪間座１３、１３の内輪間座側フランジ部１３ｂの外周面は、互いに対向して、各軸受空間Ｓ１に連通する一対のラビリンスＬを形成する。具体的に、一対の内輪間座１３、１３の内輪間座側フランジ部１３ｂの外周面は、軸方向端部において一様径である円筒外周面１３ｄと、円筒外周面１３ｄと連続し、アンギュラ玉軸受１１に向かって大径となるように軸方向に対して傾斜角θで傾斜する内輪間座側テーパ面１３ｅを有し、また、外輪間座１２の内周面は、円筒外周面１３ｄと対向する一様径の円筒内周面１２ａと、内輪間座側テーパ面１３ｅと対向し、アンギュラ玉軸受１１に向かって大径となるように軸方向に対して傾斜角θで傾斜する外輪間座側テーパ面１２ｂを有する。
なお、外輪間座１２の円筒内周面１２ａは、外輪１５の内径と略等しくなるように形成されている。また、ラビリンスＬの隙間は、狭い方が後述する差圧効果を高めるためには効果的であるが、外内輪間座１２，１３間の干渉や、部品加工精度を考慮すると、軸方向に対して垂直な半径方向の距離において０．１５〜１．０ｍｍとすることが望ましい。
【００１８】
したがって、外輪間座１２の内径側には、内輪間座１３の凹部１３ｃによって一対のラビリンスＬ間に画成され、一対のラビリンスＬを介して軸受空間Ｓ１と連通する間座側グリース溜りＳ２が設けられ、該間座側グリース溜りＳ２にはグリースＧが封入される。
【００１９】
このような軸受装置１０は、アンギュラ玉軸受１１の外輪１５及び外輪間座１２が、ハウジング３０の取付孔３１に内嵌して固定され、アンギュラ玉軸受１１の内輪１４及び内輪間座１３が、回転軸３２に外嵌して装着される。即ち、外輪１５が固定輪であり、内輪１４が回転輪となる。
【００２０】
軸受装置１０は、ハウジング３０に組み込まれる際、軸受空間Ｓ１、及び間座側グリース溜りＳ２に適量のグリースＧが封入される。封入されるグリースＧとしては、ゲル化剤を混入したグリースＧが好適であり、軸受空間Ｓ１に封入されるグリースＧの量は、回転に伴う粘性抵抗による昇温と、グリース寿命とのバランスから、軸受空間Ｓ１の空間容積の１０〜２０％とするのが好ましい。これにより、慣らし運転時間を短くすることができ、軸受交換後の生産ライン復帰時間を短縮することができる。なお、ゲル化剤を混入したグリースＧは、軸受空間Ｓ１、及び間座側グリース溜りＳ２のいずれか一方に封入してもよい。
【００２１】
ゲル化剤を混入したグリースＧは、回転に伴って発生するせん断力により、ゲル状から容易に油状となり、せん断力がなくなると、速やかにゲル状に回復する特性を有する。このため、グリースＧがアンギュラ玉軸受１１の転走面に供給される際にゲル状から油状に変化して供給されるため、グリースＧのかみこみによる瞬間的なトルク変動が防止されると共に、低トルク運転が可能となる。また、転走面近傍のグリースＧの油状化により、転走面からやや離れた部分のグリースＧとの流体的なつながりが良くなり、より周辺部からの基油の補給が促進される。これにより、潤滑効率が向上すると共に、慣らし運転時間を短縮することが可能となる。特に、工作機械主軸用軸受のようにｄｍｎ５０万以上、あるいはｄｍｎ１００万以上の用途で効果が期待できる。
【００２２】
ゲル化剤を混入したグリースＧとしては、ゲル化剤：増ちょう剤＝５０〜８０：５０〜２０、ちょう度２６５〜２７５とするのが望ましい。ゲル化剤としては、高いゲル化能を有するベンジリデンソルビトール誘導体又はアミノ酸系ゲル化剤が好適である。なお、ゲル化剤を含まない一般的なグリースを使用する場合には、ちょう度２２０〜２９５とするのが望ましい。
【００２３】
グリースＧの基油は、繊維構造の増ちょう剤により保持されており、増ちょう剤の繊維間を毛細管現象により移動する。慣らし運転により軸受空間Ｓ１及び間座側グリース溜りＳ２に封入されたグリースＧ同士が接することで、基油の移動に必要な増ちょう剤がつながり、その結果、アンギュラ玉軸受１１の潤滑に供されるグリースＧの量を大幅に増加することができる。また、工作機械の主軸装置のように高速回転する場合、軸受周辺部の温度が上昇することで近傍のグリースＧの温度も上昇して軟化するため、基油の流動が容易となり、高速回転でのグリース寿命が延びる。
【００２４】
また、外輪１５にカウンターボア１５ｂがあるアンギュラ玉軸受１１では、保持器１７と外輪１５とのすきまが、カウンターボア１５ｂ側で大きく、反カウンターボア側で小さくなる。このため、アンギュラ玉軸受１１に封入したグリースＧは、カウンターボア１５ｂ側が溜りやすく、反カウンターボア側が少なくなるため、アンギュラ玉軸受１１内部において基油潤滑に偏りがでる（特に、外輪１５の内周面で保持器１７を案内する外輪案内保持器の場合、外輪１５と保持器１７との隙間が小さいので偏りが発生し易い）。しかし、本実施形態の軸受装置１０によれば、カウンターボア側と反カウンターボア側との基油供給のバランスが良くなり、潤滑の偏りを解消して、潤滑効率が向上する。
【００２５】
また、本実施形態のように、各内輪間座１３の外周面と外輪間座２３の内周面との間に、テーパ面１２ｂ、１３ｅを有するラビリンスＬが設けられているので、主軸装置の高速回転に伴い、テーパ面１２ｂ、１３ｅに発生する遠心力は径が大きくなる方に向かって大きくなることから内輪間座側テーパ面１３ｅを沿うように軸受に流入する空気の流れが生じる。また、テーパ形状のラビリンスＬでは、回転する内輪間座１３の外周面において、径が大きい軸受端面側のほうが円周方向の空気の流速が速いため、圧力が下がり、その結果、反軸受側から軸受端部に向かって空気の流れが生じる（矢印Ａ参照）。つまり、円周方向の空気の流れと相まって、らせん状の空気の流れが生じる。特に、工作機械主軸用軸受のように、軸受ｄｍｎ値が５０万以上、或いは１００万以上の場合、周速差による圧力低下が生じるため、効果が大きい。
【００２６】
更に、外輪１５にカウンターボア１５ｂを有するアンギュラ玉軸受１１では、カウンターボア１５ｂに向かって空気を吸込む現象（所謂、ポンプ作用）が発生する（矢印Ｂ参照）。
【００２７】
したがって、内輪間座１３と外輪間座１２との間のラビリンスＬからアンギュラ玉軸受１１に流入する空気の流れと、アンギュラ玉軸受１１のポンプ作用により、空気流が流れ、間座側グリース溜りＳ２のグリースＧの基油が、軸受空間Ｓ１へと移動して軸受空間Ｓ１内のグリースＧに補給される。
【００２８】
なお、内輪間座側テーパ面１３ｅと外輪間座側テーパ面１２ｂの軸方向に対する傾斜角θは、小さすぎると差圧効果が小さくなって、潤滑油をアンギュラ玉軸受１１側へ流入させる空気流が発生し難い。また、傾斜角θが大きすぎると、テーパ面１３ｅがシャープエッジになるため、バリや欠け等が発生しやすく、さらに、間座側グリース溜りＳ２の体積が小さくなり保持できるグリースＧが少なくなる。このため、傾斜角θは、５°以上４５°以下、より好ましくは１０°以上３０°以下とするのがよい。
【００２９】
以上説明したように、本実施形態の軸受装置１０によれば、外輪間座１２の内周面と一対の内輪間座１３の外周面は、互いに対向して、各軸受空間Ｓ１に連通する一対のラビリンスＬを形成するように、アンギュラ玉軸受１１に向かって大径となるテーパ面１２ｂ、１３ｅをそれぞれ有し、外輪間座１２は、その内径側で、一対のラビリンスＬ間に画成され、一対のラビリンスＬを介して軸受空間Ｓ１と連通する間座側グリース溜りＳ２を有し、該間座側グリース溜りＳ２にはグリースＧが封入される。したがって、テーパ面１２ｂ、１３ｅによるラビリンスＬにより、反軸受側から軸受側に向かう空気の流れが生じ、間座側グリース溜りＳ２のグリースＧの基油が軸受空間Ｓ１へ移動するので、軸受空間Ｓ１に供給されるグリースの量を増加することができ、グリース寿命を延長することができる。
【００３０】
また、軸受空間Ｓ１及び間座側グリース溜りＳ２の少なくとも一方には、ゲル化剤を混入したグリースＧが封入されるため、回転に伴って発生するせん断力により、容易にゲル状から油状となり、グリースＧのかみこみによるトルク変動を防止すると共に、低トルク運転が可能となる。また、慣らし運転時間を短縮することができる。
【００３１】
（第２実施形態）
次に、図２を参照して、本発明に係る軸受装置の第２実施形態について説明する。なお、以下の各実施形態において、第１実施形態と同一又は同等部分については、図面に同一符号を付してその説明を省略或いは簡略化する。
【００３２】
本実施形態においても、一対の内輪間座１３は、外周面が内輪間座側テーパ面１３ｅを備え、径方向外側に延出する内輪間座側フランジ部１３ｂをそれぞれ有する一方、内輪間座側フランジ部１３ｂより軸方向内側の外周面には、アンギュラ玉軸受１１に向かって大径となるように軸方向に対して傾斜角θ´を有する他のテーパ面１３ｆが形成される。この他のテーパ面１３ｆにより、主軸装置の運転時に外輪間座１２に盛り付けられたグリースＧが内輪間座１３に付着した際、遠心力効果による他のテーパ面１３ｆに沿うように流れる空気流によって、ラビリンスＬの近傍にグリースＧを移動させることができる。
【００３３】
その他の構成及び作用効果については、上記第１実施形態と同様である。即ち、テーパ面１２ｂ、１３ｅによるラビリンスＬにより、反軸受側から軸受側に向かう空気の流れが生じ、間座側グリース溜りＳ２のグリースＧの基油が軸受空間Ｓ１へ移動するので、軸受空間Ｓ１に供給されるグリースの量を増加することができ、グリース寿命を延長することができる。また、間座側グリース溜りＳ２におけるグリースＧが毛細管現象により軸受空間Ｓ１に加わってグリース寿命を伸ばすことができ、さらに、カウンターボア側と反カウンターボア側でのグリース量がバランスすることができる。
【００３４】
（第３実施形態）
次に、図３を参照して、本発明に係る軸受装置の第３実施形態について説明する。
本実施形態では、一対の内輪間座１３は、軸方向内側面を内輪間座側テーパ面１３ｅとして、径方向外側に延出する内輪間座側フランジ部１３ｂをそれぞれ有し、これに対応して、外輪間座１２は、一対のラビリンスＬを構成するように、軸方向外側面を外輪間座側テーパ面１２ｂとして、径方向内側に延出する外輪間座側フランジ部１２ｃを有する。したがって、本実施形態では、第１及び第２実施形態よりもテーパ状のラビリンスＬを長く形成している。
なお、これらテーパ面１２ｂ、１３ｅの傾斜角θは、軸方向に対して３０°以上、望ましくは、４５°以上とされている。また、本実施形態では、ラビリンスＬの径方向隙間は、第１及び第２実施形態の半径方向の距離における０．１５〜１．０ｍｍよりも大きく形成されてもよい。
【００３５】
また、本実施形態では、間座側グリース溜りＳ２の体積を増加させるため、外輪間座１２の内周面には、間座側グリース溜りＳ２を構成する環状の凹部１２ｄが形成され、グリース寿命延長の効果を発揮することができる。
【００３６】
その他の構成及び作用効果については、上記第１実施形態と同様である。即ち、テーパ面１２ｂ、１３ｅによるラビリンスＬにより、反軸受側から軸受側に向かう空気の流れが生じ、間座側グリース溜りＳ２のグリースＧの基油が軸受空間Ｓ１へ移動するので、軸受空間Ｓ１に供給されるグリースの量を増加することができ、グリース寿命を延長することができる。また、間座側グリース溜りＳ２におけるグリースＧが毛細管現象により軸受空間Ｓ１に加わってグリース寿命を伸ばすことができ、さらに、カウンターボア側と反カウンターボア側でのグリース量がバランスすることができる。
【００３７】
（第４実施形態）
次に、図４を参照して、本発明に係る軸受装置が組み込まれた工作機械用の主軸装置について説明する。
【００３８】
本実施形態の主軸装置４０は、第１実施形態で説明した軸受装置１０が組み込まれており、背面組合せで配置した一対のアンギュラ玉軸受１１により、主軸３２を回転自在に支承している。背面組合せで配置された一対のアンギュラ玉軸受１１は、一対の内輪１４間に配置した内輪間座１３、及び位置決めスリーブ１３Ａ，１３Ｂで位置決めされて、内輪固定ナット３３により主軸３２に締め付け固定されている。また、一対のアンギュラ玉軸受１１の外輪１５は、ハウジング３０に嵌合すると共に、一対の外輪１５間に配置した外輪間座１２、及び位置決めスリーブ１４Ａで位置決めされ、外輪押え蓋３４によりハウジング３０内に位置決め固定されている。
【００３９】
なお、本実施形態の外輪間座１２には、軸方向中央に設けられた外輪間座側フランジ部１２ｃに径方向に延びる通気孔３５が形成されている。また、ハウジング３０には、外輪間座１２の通気孔３５に連通する空気補給路３６が設けられている。
【００４０】
そして、主軸３２の回転に伴って生じる空気流により、軸受空間Ｓ１及び間座側グリース溜りＳ２に封入されたグリースＧの基油が、空気流と共に外輪１５の転走面に流れ込んで潤滑する。外内輪間座１２，１３の隙間から一対のアンギュラ玉軸受１１に吸込まれた空気は、空気補給路３６から常時補給される。
【００４１】
以上説明したように、本実施形態の主軸装置４０によれば、軸受装置１０は、外輪間座１２及び内輪間座１３の軸方向両側に、背面組合せされて配置される一対のアンギュラ玉軸受１１を備え、軸受装置１０を介して主軸３２をハウジング３０に対して回転自在に支承するため、背面組合せされた一対のアンギュラ玉軸受１１に安定してグリースを供給し、主軸装置４０の高速化、長寿命化が可能となる。
【００４２】
また、外輪間座１２には、ハウジング３０に形成された空気補給路３６を介して間座側グリース溜りＳ２に空気を補給するための通気孔３５が形成されているので、通気孔３５から空気が常時供給され、空気流を安定して発生させることができる。
【００４３】
なお、主軸装置４０に組み込まれる軸受装置１０は、上記実施形態のものに限定されず、第２及び第３実施形態の軸受装置１０も同様に適用可能であり、同様の効果を奏する。
【００４４】
尚、本発明は、前述した各実施形態に限定されるものではなく、適宜、変形、改良、等が可能である。
【符号の説明】
【００４５】
１０     軸受装置
１１     アンギュラ玉軸受
１２     外輪間座
１２ｂ   外輪間座側テーパ面
１２ｃ   外輪間座側フランジ部
１２ｄ   凹部
１３     内輪間座
１３ｂ   内輪間座側フランジ部
１３ｅ   内輪間座側テーパ面
１４     内輪
１４ａ   内輪軌道面
１５     外輪
１５ａ   外輪軌道面
１６     玉
３０     ハウジング
３２     回転軸（主軸）
４０     主軸装置
Ｇ       グリース
Ｌ       ラビリンス
Ｓ１     軸受空間
Ｓ２     間座側グリース溜り
α       接触角
【図１】
2015102210.tif 000003
【図２】
2015102210.tif 000004
【図３】
2015102210.tif 000005
【図４】
2015102210.tif 000006
【図５】
2015102210.tif 000007